(57)【要約】【課題】  本発明は、ソケット部材１およびある挿入方向でソケット部材１へ挿入可能な挿入部材１３を受入れるために設けられた受入れ空間部４に固定可能なシールリング１０を備える継手装置に関するものであり、少ない挿入力で挿入可能な継手装置を提供することをその課題とする。【解決手段】  シールリング１０は組合せられた状態で相互に対向するリング受け面９，１１に設置され、ここにおいてリング受け面９，１１は断面上挿入方向に直交する一つの断面から外れて設けられる。これにより挿入部材１３は、先ずシールリング１０の前側部分と、次いで徐々に後側部分と接触するので、各部分に応じた少ない保持摩擦力のためきわめて少ない挿入力が必要とされる。【選択図】  図１
2009503384.tif 000002
【特許請求の範囲】
【請求項１】
ソケット部材と、挿入方向でソケット部材へ挿入可能な挿入部材を受入れるために設けられた受入れ空間部に固定可能なシールリングとを備える継手装置であって、
シールリング（１０）は組合せられた状態で相互に対向するリング受け面（９，１１）に当接して配設され、該リング受け面（９，１１）は断面において挿入方向に直交する面から外れて配置される継手装置。
【請求項２】
請求項１に記載の継手装置であって、ソケット部材（１）へ差込み可能な、リング受け面（９）を備える保持リング（５）が装備されることを特徴とする継手装置。
【請求項３】
請求項１または２に記載の継手装置であって、ソケット部材（１）は受入れ空間部（４）にある支持部（１２）に形成されるリング受け面（１１）を備えることを特徴とする継手装置。
【請求項４】
請求項１〜３のいずれかに記載の継手装置であって、前記リング受け面（９，１１）は一定の間隔で相対して円周に亘り配されることを特徴とする継手装置。
【請求項５】
請求項１〜４のいずれかに記載の継手装置であって、前記リング受け面（９，１１）にはそれぞれ直径方向に互いに相対して配される二つの前側部分（１６，１７，１８，１９）と、該前側部分（複数）（１６，１７，１８，１９）の間に配置され直径方向に互いに相対して配される二つの後側部分（２０，２１，２２，２３）とが形成され、前記リング受け面（９，１１）の該前側部分（１６，１７，１８，１９）および該後側部分（２０，２１，２２，２３）はいずれも挿入方向に直交する一つの平面から外れて設けられることを特徴とする継手装置。
【発明の詳細な説明】
【技術分野】
【０００１】
本発明は、ソケット部材およびシールリングを備える継手（カップリング）装置に関するものである。
【背景技術】
【０００２】
この種の継手装置はすでに知られている。密封（シール）リングはある挿入方向でソケット部材へ挿入可能な挿入部材を受入れるために設けられた受入れ空間部に固定可能である。受入れ空間部ではある挿入方向で挿入部材が挿入可能であり、ここにおいて挿入部材は、挿入方向に直交する平面に配置され受入れ空間部に固定されるシールリングによってソケット部材に対して密封保持される。
【発明の開示】
【発明が解決しようとする課題】
【０００３】
本発明は、比較的少ない挿入力でもって挿入部材を受入れ空間部へ挿入することを特徴とする上述の種の継手装置を提供することをその課題とするものである。
【課題を解決するための手段】
【０００４】
この課題は本発明による請求項１の特徴を有する継手装置によって解決される。すなわち、シールリングは組合せた状態で相互に対向するリング受け面に当接して配設され、該リング受け面は断面において挿入方向に直交する面から外れて配置されることを特徴とする。
【発明の効果】
【０００５】
シールリングは本発明により形成されるリング受け面により挿入方向に直角に配される平面に対し湾曲して配置されることによって、挿入部材は受入れ空間部への挿入の際、先ず挿入方向前方に位置するシールリングの前側部分と、次いで挿入工程が進むにつれて徐々に中央部分と、そしてついには挿入方向後方に位置する後側部分と接触するので、挿入工程の初期にすでに平らなシールリングへ全面的に接触するものに比べ、持分に応じた少ない保持摩擦力のためきわめて少ない挿入力が必要とされる。これはとりわけ比較的大きな直径を有する継手装置において有利性の高いものとなる。
【発明を実施するための最良の形態】
【０００６】
本発明の目的に沿った更なる構成は従属の請求項の対象である。
【０００７】
以下に本発明の好ましい実施態様を図面を利用して詳細に述べることで、目的に沿った更なる構成および利点が明確となる。
【０００８】
図１は本発明による継手（カップリング）装置の断面図を示す。図１による実施態様は、図１に示されない液体配管設備の末端部として作動するソケット部材１を具備する。ソケット部材１は、例えば液体配管装置と接続可能な本質的にシリンダー状の先端（ヘッド）部３であって、基部２に比べて大きな周縁を有する本質的にシリンダー状の先端部３を備える。先端部３はシリンダー状の受入れ空間部４を取り囲む。
【０００９】
提示した実施態様による本発明の継手装置には、先端部３の基部２とは反対側に挿入可能な保持リング５が構成される。保持リング５には、先端部３の外側壁を囲む外側帯状部（フランジ）６、先端部３の基部２とは反対側の端面側に位置する端面帯状部（フランジ、Stirnbund）フランジ７および受入れ空間部４へ突出する内側帯状部（フランジ）８が備えられる。
【００１０】
保持リング５に形成される第一リング受け面９に弾性（可撓性）材料でできた環状密閉型のシールリング１０が当接して配設され、これは更に第一リング受け面９とは反対側で受入れ空間部４に在る支持部１２に形成される第二リング受け面１１に当接して配設される。（２つの）リング受け面（ないし当接面）９，１１は円周に亘り一定の間隔で相対して配される。
【００１１】
最後に図１において、継手装置の長軸１５と一致する挿入方向で先端部３の基部２に対向して成る側から嵌込み部１４を受入れ空間部４へ挿入可能な本発明の継手装置の周知の挿入部材１３が表示される。ここにおいてシールリング１０は、ソケット部材１と挿入部材１３との間を密に接続することを課題とする。
【００１２】
図２は、図１による本発明の継手装置の先端部３領域のソケット部材１と保持リング５を斜視図で示す。リング受け面９，１１は、断面において長軸１５に平行な挿入方向に直交する一つの平面（即ち、図１において、リング受け面の（挿入方向から見て）凸な部分と上下両端の凹の部分との間にある（リング受け面を切る）仮想中間平面ないし断面）から外れて配設されること、および提示された実施態様で、いずれのリング受け面９，１１にも直径方向に互いに相対して配される、図２の目視方向（夫々開口側から視た方向）で前側（手前側）に位置する二つの前側部分１６，１７，１８，１９と、この（二つの）前側部分１６，１７，１８，１９の間に配置され直径方向で互いに相対して配される、図２の目視方向で後側（奥側）に位置する二つの後側部分２０，２１，２２，２３が形成されることが、図２から読み取れる。所定の配置では、先端部３に形成されたリング受け面１１の前側部分１８，１９は保持リング５に形成されたリング受け面９の後側部分２０，２１に対向して配置される一方、先端部３に形成されたリング受け面１１の後側部分２２，２３は保持リング５に形成されたリング受け面９の前側部分１６，１７に対向して配置される。
【００１３】
これによって挿入部材１３は、受入れ空間部４への挿入の際、先ず先端部３に形成されるリング受け面１１の前側（手前側）部分１８，１９と保持リング５に形成されたリング受け面９の後側部分２０，２１との間に配置されるシールリング１０の前側部分（開口に近い入口側部分）と接触し、比較的少ない挿入力でもって挿入工程が進行し最後にリング受け面９，１１の別の前側部分１６，１７と後側部分２２，２３との間に位置するシールリング１０の後側（奥側）部分と接触し密封効果が発揮される。
【図面の簡単な説明】
【００１４】
【図１】受入れ空間部へ挿入する前の挿入部材を備える本発明に係る継手装置の一実施態様の断面図を示す。
【図２】図１による本発明に係る継手装置のソケット部材および保持リングの斜視図を示す。
【符号の説明】
【００１５】
１    ソケット部材
２    基部
３    先端部
４    受入れ空間部
５    保持リング
６    外側帯状部（フランジ）
７    端面帯状部（フランジ）
８    内側帯状部（フランジ）
９    リング受け面（当接面）
１０  シールリング
１１  リング受け面（当接面）
１２  支持部
１３  挿入部材
１４  嵌込み部
１５  長軸
１６、１７、１８、１９    前側部分
２０、２１、２２、２３    後側部分
【図１】
2009503384.tif 000003
【図２】
2009503384.tif 000004
【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
ソケット部材と、挿入方向でソケット部材へ挿入可能な挿入部材を受入れるために設けられた受入れ空間部に固定可能なシールリングとを備える継手装置であって、シールリングは組合せられた状態で相互に対向するリング受け面に当接して配設され、
該リング受け面は、周状に延在するその部分（複数）が該リング受け面（９，１１）と交叉しかつ挿入方向に直交する一つの平面から両側で外れて配設される継手装置であって、
シールリング（１０）が挿入方向に直交する二つの面の間に湾曲して配置されるように、前記リング受け面（９，１１）にはそれぞれ互いに相対して配される二つの前側部分（１６，１７，１８，１９）と、該前側部分（複数）（１６，１７，１８，１９）の間に配置され互いに相対して配される二つの後側部分（２０，２１，２２，２３）とが形成されること
を特徴とする継手装置。
【請求項２】
請求項１に記載の継手装置であって、
該前側部分（複数）（１６，１７，１８，１９）は直径方向に互いに相対して配され、該後側部分（複数）（２０，２１，２２，２３）は直径方向に互いに相対して配され、該前側部分（１６，１７，１８，１９）は前記リング受け面（９，１１）と交叉する平面の一側にそして該後側部分（２０，２１，２２，２３）は該平面の他の側に配されることを特徴とする継手装置。
【請求項３】
請求項１または２に記載の継手装置であって、ソケット部材（１）へ差込み可能な、リング受け面（９）を備える保持リング５が装備されることを特徴とする継手装置。
【請求項４】
請求項１〜３のいずれかに記載の継手装置であって、ソケット部材（１）は受入れ空間部（４）にある支持部（１２）に形成されるリング受け面（１１）を備えることを特徴とする継手装置。
【請求項５】
請求項１〜４のいずれかに記載の継手装置であって、前記リング受け面（９，１１）は一定の間隔で相対して円周に亘り配されることを特徴とする継手装置。
【手続補正２】
【補正対象書類名】明細書
【補正対象項目名】０００２
【補正方法】変更
【補正の内容】
【０００２】
この種の継手装置はすでに知られている。密封（シール）リングはある挿入方向でソケット部材へ挿入可能な挿入部材を受入れるために設けられた受入れ空間部に固定可能である。受入れ空間部ではある挿入方向で挿入部材が挿入可能であり、ここにおいて挿入部材は、挿入方向に直交する平面に配置され受入れ空間部に固定されるシールリングによってソケット部材に対して密封保持される。これに関し、以下の文献が既知である。
【特許文献１】  ＵＳ３８３１９５４Ａ
【特許文献２】  ＥＰ０６１６１６４Ａ１
【特許文献３】  ＵＳ５１３７３０８Ａ
【発明の開示】
【発明が解決しようとする課題】
【手続補正書】
【提出日】平成20年4月15日(2008.4.15)
【手続補正１】
【補正対象書類名】特許請求の範囲
【補正対象項目名】請求項３
【補正方法】変更
【補正の内容】
【請求項３】
請求項１または２に記載の継手装置であって、ソケット部材（１）へ差込み可能な、リング受け面（９）を備える保持リング（５）が装備されることを特徴とする継手装置。
【手続補正２】
【補正対象書類名】明細書
【補正対象項目名】全文
【補正方法】変更
【補正の内容】
【発明の詳細な説明】
【技術分野】
【０００１】
本発明は、ソケット部材およびシールリングを備える継手（カップリング）装置に関するものである。
【背景技術】
【０００２】
この種の継手装置はすでに知られている。密封（シール）リングはある挿入方向でソケット部材へ挿入可能な挿入部材を受入れるために設けられた受入れ空間部に固定可能である。受入れ空間部ではある挿入方向で挿入部材が挿入可能であり、ここにおいて挿入部材は、挿入方向に直交する平面に配置され受入れ空間部に固定されるシールリングによってソケット部材に対して密封保持される。これに関し、以下の文献が既知である。
【特許文献１】ＵＳ３８３１９５４Ａ
【特許文献２】ＥＰ０６１６１６４Ａ１
【特許文献３】ＵＳ５１３７３０８Ａ
【発明の開示】
【発明が解決しようとする課題】
【０００３】
本発明は、比較的少ない挿入力でもって挿入部材を受入れ空間部へ挿入することを特徴とする上述の種の継手装置を提供することをその課題とするものである。
【課題を解決するための手段】
【０００４】
上記の課題を解決するために、本発明の一視点により、ソケット部材と、挿入方向でソケット部材へ挿入可能な挿入部材を受入れるために設けられた受入れ空間部に固定可能なシールリングとを備える継手装置であって、シールリングは組合せられた状態で相互に対向するリング受け面に当接して配設され、
該リング受け面は、周状に延在するその部分（複数）が該リング受け面と交叉しかつ挿入方向に直交する一つの平面から両側で外れて配設される継手装置であって、
シールリングが挿入方向に直交する二つの面の間に湾曲して配置されるように、前記リング受け面にはそれぞれ互いに相対して配される二つの前側部分と、該前側部分（複数）の間に配置され互いに相対して配される二つの後側部分とが形成されることを特徴とする継手装置が提供される（形態１・基本構成）。
【発明の効果】
【０００５】
シールリングは本発明により形成されるリング受け面により挿入方向に直角に配される平面に対し湾曲して配置されることによって、挿入部材は受入れ空間部への挿入の際、先ず挿入方向前方に位置するシールリングの前側部分と、次いで挿入工程が進むにつれて徐々に中央部分と、そしてついには挿入方向後方に位置する後側部分と接触するので、挿入工程の初期にすでに平らなシールリングへ全面的に接触するものに比べ、持分に応じた少ない保持摩擦力のためきわめて少ない挿入力が必要とされる。これはとりわけ比較的大きな直径を有する継手装置において有利性の高いものとなる。
【発明を実施するための最良の形態】
【０００６】
本発明の目的に沿った更なる構成は従属の請求項の対象である。以下に、本発明の好ましい実施の形態を示すが、形態２〜５は従属請求項の対象である：
（形態１）  上記基本構成参照。
（形態２）  上記の継手装置において、該前側部分（複数）は直径方向に互いに相対して配され、該後側部分（複数）は直径方向に互いに相対して配され、該前側部分は前記リング受け面と交叉する平面の一側にそして該後側部分は該平面の他の側に配されることが好ましい。
（形態３）  上記の継手装置において、ソケット部材へ差込み可能な、リング受け面を備える保持リングが装備されることが好ましい。
（形態４）  上記の継手装置において、ソケット部材は受入れ空間部にある支持部に形成されるリング受け面を備えることが好ましい。
（形態５）  上記の継手装置において、前記リング受け面は一定の間隔で相対して円周に亘り配されることが好ましい。
【０００７】
以下に本発明の好ましい実施態様を図面を利用して詳細に述べることで、目的に沿った更なる構成および利点が明確となる。なお、特許請求の範囲に付した図面参照符号は専ら発明の理解を助けるためのものに過ぎず、本発明を図示の態様に限定することを意図するものではない。
【実施例】
【０００８】
図１は本発明による継手（カップリング）装置の断面図を示す。図１による実施態様は、図１に示されない液体配管設備の末端部として作動するソケット部材１を具備する。ソケット部材１は、例えば液体配管装置と接続可能な本質的にシリンダー状の先端（ヘッド）部３であって、基部２に比べて大きな周縁を有する本質的にシリンダー状の先端部３を備える。先端部３はシリンダー状の受入れ空間部４を取り囲む。
【０００９】
提示した実施態様による本発明の継手装置には、先端部３の基部２とは反対側に挿入可能な保持リング５が構成される。保持リング５には、先端部３の外側壁を囲む外側帯状部（フランジ）６、先端部３の基部２とは反対側の端面側に位置する端面帯状部（フランジ、Stirnbund）フランジ７および受入れ空間部４へ突出する内側帯状部（フランジ）８が備えられる。
【００１０】
保持リング５に形成される第一リング受け面９に弾性（可撓性）材料でできた環状密閉型のシールリング１０が当接して配設され、これは更に第一リング受け面９とは反対側で受入れ空間部４に在る支持部１２に形成される第二リング受け面１１に当接して配設される。（２つの）リング受け面（ないし当接面）９，１１は円周に亘り一定の間隔で相対して配される。
【００１１】
最後に図１において、継手装置の長軸１５と一致する挿入方向で先端部３の基部２に対向して成る側から嵌込み部１４を受入れ空間部４へ挿入可能な本発明の継手装置の周知の挿入部材１３が表示される。ここにおいてシールリング１０は、ソケット部材１と挿入部材１３との間を密に接続することを課題とする。
【００１２】
図２は、図１による本発明の継手装置の先端部３領域のソケット部材１と保持リング５を斜視図で示す。リング受け面９，１１は、断面において長軸１５に平行な挿入方向に直交する一つの平面（即ち、図１において、リング受け面の（挿入方向から見て）凸な部分と上下両端の凹の部分との間にある（リング受け面を切る）仮想中間平面ないし断面）から外れて配設されること、および提示された実施態様で、いずれのリング受け面９，１１にも直径方向に互いに相対して配される、図２の目視方向（夫々開口側から視た方向）で前側（手前側）に位置する二つの前側部分１６，１７，１８，１９と、この（二つの）前側部分１６，１７，１８，１９の間に配置され直径方向で互いに相対して配される、図２の目視方向で後側（奥側）に位置する二つの後側部分２０，２１，２２，２３が形成されることが、図２から読み取れる。所定の配置では、先端部３に形成されたリング受け面１１の前側部分１８，１９は保持リング５に形成されたリング受け面９の後側部分２０，２１に対向して配置される一方、先端部３に形成されたリング受け面１１の後側部分２２，２３は保持リング５に形成されたリング受け面９の前側部分１６，１７に対向して配置される。
【００１３】
これによって挿入部材１３は、受入れ空間部４への挿入の際、先ず先端部３に形成されるリング受け面１１の前側（手前側）部分１８，１９と保持リング５に形成されたリング受け面９の後側部分２０，２１との間に配置されるシールリング１０の前側部分（開口に近い入口側部分）と接触し、比較的少ない挿入力でもって挿入工程が進行し最後にリング受け面９，１１の別の前側部分１６，１７と後側部分２２，２３との間に位置するシールリング１０の後側（奥側）部分と接触し密封効果が発揮される。
【図面の簡単な説明】
【００１４】
【図１】受入れ空間部へ挿入する前の挿入部材を備える本発明に係る継手装置の一実施態様の断面図を示す。
【図２】図１による本発明に係る継手装置のソケット部材および保持リングの斜視図を示す。
【符号の説明】
【００１５】
１    ソケット部材
２    基部
３    先端部
４    受入れ空間部
５    保持リング
６    外側帯状部（フランジ）
７    端面帯状部（フランジ）
８    内側帯状部（フランジ）
９    リング受け面（当接面）
１０  シールリング
１１  リング受け面（当接面）
１２  支持部
１３  挿入部材
１４  嵌込み部
１５  長軸
１６、１７、１８、１９  前側部分
２０、２１、２２、２３  後側部分
【国際調査報告】
2009503384.tif 000005
2009503384.tif 000006
2009503384.tif 000007
2009503384.tif 000008